(57)【特許請求の範囲】
【請求項１】
構内無線インターネット通信システムの構内パケットデータサービス装置において、
構内パケットデータサービス領域に位置した端末機に無線資源を割当て、前記端末機との無線通信を行う多数の構内ＢＴＳと、
前記構内ＢＴＳから要求される呼が構内パケットサービスの要求であるとき、パケットデータをサービスする構内ＢＳＣ（Ｂａｓｅ  Ｓｔａｔｉｏｎ  Ｃｏｎｔｒｏｌｌｅｒ）と、を備えてなり、
前記構内ＢＳＣが、
前記構内ＢＳＣの無線呼処理を担当し、端末機から受信した電話番号を分析して構内または公衆呼を判断するＢＭＰと、
前記構内ＢＳＣの無線パケットデータ及びシグナルの制御及び生成を処理するＡＴＰ−ｄと、
前記構内ＢＳＣとＤＣＮとの間に連結されて構内無線パケットをサービスするｐＰＤＰと、を含み、
前記ｐＰＤＰが、
前記ＡＴＰ−ｄとＤＣＮとの間で端末機のパケットデータの送受信に必要なＩＰ割当て及び解除、ＲＰコネクションの生成／終了などの管理及びパケット呼に関する状態を処理するパケットデータ呼制御部（ＰＤＣＣ）と、
前記ＡＴＰ−ｄとＤＣＮとの間でパケットデータの送受信を担当するパケットデータトラヒック制御部（ＰＤＴＣ）と、
前記構内ＢＳＣのインターフェース及びその状態を点検するパケットデータ管理部（ＰＤＭＡ）と、を含むことを特徴とする構内無線インターフェース通信システムのパケットデータサービス装置。
【請求項２】
前記パケットデータ呼制御部（ＰＤＣＣ）が、
端末機のデータサービスに関するメッセージ、パケット呼制御部における使用時間関連メッセージ及び休止状態における端末機のデータ処理のためのメッセージなどを処理するシグナリングデーモン処理部と、
各パケット呼に対する状態を制御し、メッセージの受信時に該当端末機の状態遷移を制御するパケット呼制御部と、
前記パケット呼制御部により端末機の状態変更情報を管理し、前記状態変更情報を各モジュールに機能的なＡＰＩの形態で提供するパケットロケーションレジスタ処理部と、を含んでなる請求項１記載の構内無線インターフェース通信システムのパケットデータサービス装置。
【請求項３】
前記パケットデータトラヒック制御部（ＰＤＴＣ）が、
受信したデータパケットをＰＭＩタスクに伝送し、休止ページングの要請、プログラムフロー制御に関するフラグのセッティング及び休止状態の終了時にキューの初期化を行うことにより、ＡＭＣとトラヒック関連シグナリングを処理するトラヒックデーモン処理部と、
前記キューのリストを管理し、前記キューのメッセージをＡＭＣに伝送するデータ伝送処理部と、
端末機から受信したＬＣＰ／ＩＰＣＰ／ＩＰプロトコルフレームを受信して処理するＰＭＩ処理部と、
ＤＣＮとイーサネット（登録商標）パケット通信を行うネットワーク処理部と、を含んでなる請求項１記載の構内無線インターフェース通信システムのパケットデータサービス装置。
【請求項４】
構内パケットデータサービス領域に位置した端末機に無線資源を割当て、前記端末機との無線通信を行う多数の構内ＢＴＳと、前記構内ＢＴＳから要求される呼が構内パケットサービスの要求であるとき、パケットデータをサービスする構内ＢＳＣと、を備えてなり、前記構内ＢＳＣが、前記構内ＢＳＣの無線呼を処理し、端末機から受信した電話番号を分析して構内または公衆呼を判断するＢＭＰと、前記構内ＢＳＣの無線パケットデータ及びシグナルの制御及び生成を処理するＡＴＰ−ｄと、前記構内ＢＳＣとＤＣＮとの間に連結されて構内無線パケットをサービスするｐＰＤＰと、を含む構内無線インターネット通信システムの構内パケットデータサービス方法において、
前記ＡＴＰ−ｄとＤＣＮとの間で端末機のパケットデータの送受信に必要なＩＰ割当て及び解除、ＲＰコネクションの生成／終了などの管理及びパケット呼に関する状態を処理する過程と、
ＡＭＣとＤＣＮとの間でデータを送受信する過程と、
ＢＡＮと維持補修及び管理機能ブロックとのインターフェースを行い、前記ＡＭＣとＡＴＭ  ＰＶＣの状態点検及びＤＣＮとのリンク状態を点検する過程と、からなり、
前記構内ＢＴＳから要求される呼のダイアリング番号が構内パケットサービスの要求でなければ、公衆網ＢＳＣに前記呼情報を伝送し、構内パケットサービスの要求であれば、無認証、無課金及びＩＰサービスのためのパケットデータサービスを提供することを特徴とする構内無線インターフェース通信システムのパケットデータサービス方法。
【発明の詳細な説明】
【０００１】
【発明の属する技術分野】
本発明は、無線インターネット接続システムの通信方法に関し、特に、特定地域内の無線インターネットシステムの無線インターネットパケットデータ通信装置及び無線インターネットデータサービス方法に関する。
【０００２】
【従来の技術】
現在の無線通信システムはＣＤＭＡ（Ｃｏｄｅ  Ｄｉｖｉｓｉｏｎ  Ｍｕｌｔｉｐｌｅ  Ａｃｃｅｓｓ）通信方式を用いて具現しているが、今後はＣＤＭＡ２０００通信システムが用いられる見込みである。たとえば、ＣＤＭＡ２０００  ３Ｇ−１ｘシステムは単位秒当たり１４４Ｋｂｐｓの速度でデータ通信をサービスする予定である。このように無線通信システムが高速のデータサービスを行うことができる場合には、無線インターネットの使用が急増するだろう。
【０００３】
図１は公衆網のＣＤＭＡ２０００  ３Ｇ−１ｘシステムを用いて無線インターネット接続網を具現した例を示した図である。
【０００４】
図１を参照すれば、無線インターネット接続網は無線通信網（Ｒａｄｉｏ  Ａｒｅａ  Ｎｅｔｗｏｒｋ：ＲＡＮ）及びデータ通信網（Ｄａｔａ  Ｃｏｒｅ  Ｎｅｔｗｏｒｋ：ＤＣＮ）からなる。ここで、無線通信網は無線端末機との無線通信を行う多数の基地局送受信機（Ｂａｓｅ  Ｓｔａｔｉｏｎ  Ｔｒａｎｓｃｅｉｖｅｒ  Ｓｙｓｔｅｍ：ＢＴＳ）及びその基地局送受信機の動作を制御する基地局制御器（Ｂａｓｅ  Ｓｔａｔｉｏｎ  Ｃｏｎｔｒｏｌｌｅｒ：ＢＳＣ）などからなり、ＡＴＭ（Ａｓｙｎｃｈｒｏｎｏｕｓ  Ｔｒａｎｓｆｅｒ  Ｍｏｄｅ）スイッチング網をバックボーンとして高速通信を支援する。かつ、データ通信網はＰＤＳＮ（Ｐａｃｋｅｔ  Ｄａｔａ  Ｓｅｒｖｉｃｅ  Ｎｏｄｅ）、ＦＡＮ、ＡＡＡ（Ａｕｔｈｅｎｔｉｃａｔｉｏｎ、Ａｕｔｈｏｒｉｚａｔｉｏｎ  ａｎｄ  Ａｃｃｏｕｎｔｉｎｇ）及びホームエイジェント（ｈｏｍｅ  ａｇｅｎｔ）などから構成されてインターネット網を通じてデータ通信サービスを行う。また、データ通信網はＰＤＳＮと連結するためにＧＡＮ（Ｇｌｏｂａｌ  Ａｒｅａ  Ｎｅｔｗｏｒｋ）内にＰＰＰ（Ｐｏｉｎｔ−ｔｏ−Ｐｏｉｎｔ  Ｐｒｏｔｏｃｏｌ）モジュールを保有する。
【０００５】
このように高速の無線インターネットサービスを提供するためには、ＢＴＳ、ＢＳＣのような無線通信装置以外に別途のＰＤＳＮ、ＤＣＮ（たとえば、ＡＡＡ，ＦＡＣＮなど）のような高価なデータ通信装置を必要とする。また、上述した公衆網無線インターネットサービスシステムは使用者の通信時に課金動作を行って無線端末機（Ｍｏｂｉｌｅ  Ｓｔａｔｉｏｎ：ＭＳ）を使用する加入者にデータサービス使用料を賦課する。
【０００６】
しかしながら、無線インターネット通信システムに接続する使用者が非常に少数で、構内のような特定地域内で無線インターネットサービスを受けようとする場合、上述した公衆網無線インターネットシステムのような高価な装備を使用することは浪費である。加えて、私設（構内又はローカル）無線インターネット使用者にも不要な請求が課されることもある。
【０００７】
【発明が解決しようとする課題】
従って、本発明の目的は構内のような特定地域で無線インターネット通信をサービスすることのできる方法を提供することにある。
【０００８】
本発明の他の目的は構内のような特定地域で簡単な無線インターネット接続（無認証サービス）及びシステム負荷の減少を達成する制限ユーザーサービス（Ｓｉｍｐｌｅ  ＩＰ  Ｉｎｔｅｒｎｅｔ／ｉｎｔｒａｎｅｔ  ａｃｃｅｓｓ）で無線インターネットデータサービスを行うことのできる方法を提供することにある。
【０００９】
【課題を解決するための手段】
以上の目的を達成するために本発明の構内無線インターネット通信システムの構内パケットデータサービス装置は、構内パケットデータサービス領域に位置した端末機に無線資源を割当て、端末機との無線通信を行う多数の構内ＢＴＳ（Ｂａｓｅ  Ｔｒａｎｓｃｅｉｖｅｒ  Ｓｙｓｔｅｍｓ）と、構内ＢＴＳから要求される呼が構内パケットサービスの要求であるとき、パケットデータをサービスする構内ＢＳＣ（Ｂａｓｅ  Ｓｔａｔｉｏｎ  Ｃｏｎｔｒｏｌｌｅｒ）と、を備え、構内ＢＳＣが、構内ＢＳＣの無線呼処理を担当し、端末機から受信した電話番号を分析して構内または公衆呼を判断するＢＭＰと、構内ＢＳＣの無線パケットデータ及びシグナルの制御及び生成を処理するＡＴＰ−ｄ（Ａｉｒ  Ｔｅｒｍｉｎａｔｉｏｎ  Ｐｒｏｃｅｓｓｏｒ  ｂｏａｒｄ）と、構内ＢＳＣとＤＣＮ（Ｄａｔａ  Ｃｏｒｅ  Ｎｅｔｗｏｒｋ）との間に連結されて構内無線パケットをサービスするｐＰＤＰ（ｐｒｉｖａｔｅ  Ｐａｃｋｅｔ  Ｄａｔａ  Ｐｒｏｃｅｓｓｏｒ）と、を含み、ｐＰＤＰが、ＡＴＰ−ｄとＤＣＮとの間で端末機のパケットデータの送受信に必要なＩＰ（Ｉｎｔｅｒｎｅｔ  Ｐｒｏｔｏｃｏｌ）割当て及び解除、ＲＰ（Ｒａｄｉｏ  Ｐａｃｋｅｔ）コネクションの生成／終了などの管理及びパケット呼に関する状態を処理するパケットデータ呼制御部（ＰＤＣＣ）と、ＡＴＰ−ｄとＤＣＮとの間でパケットデータの送受信を担当するパケットデータトラヒック制御部（ＰＤＴＣ）と、構内ＢＳＣのインターフェース及びその状態を点検するパケットデータ管理部（ＰＤＭＡ）と、を含むことを特徴とする。
【００１０】
この装置において、パケットデータ呼制御部（ＰＤＣＣ）は、端末機のデータサービスに関するメッセージ、パケット呼制御部における使用時間関連メッセージ及び休止状態における端末機のデータ処理のためのメッセージなどを処理するシグナリングデーモン処理部（Ｓｉｇｎａｌｉｎｇ  Ｄａｅｍｏｎ  Ｐｒｏｃｅｓｓｏｒ）と、各パケット呼に対する状態を制御し、メッセージの受信時に該当端末機の状態遷移を制御するパケット呼制御部と、パケット呼制御部により端末機の状態変更情報を管理し、この状態変更情報を各モジュールに機能的なＡＰＩ（Ａｐｐｌｉｃａｔｉｏｎ  Ｐｒｏｇｒａｍ  Ｉｎｔｅｒｆａｃｅ）の形態で提供するパケットロケーションレジスタ処理部と、を含んでなるとよい。
【００１１】
また、パケットデータトラヒック制御部（ＰＤＴＣ）は、受信したデータパケットをＰＭＩタスクに伝送し、休止ページングの要請、プログラムフロー制御に関するフラグのセッティング及び休止状態の終了時にキューの初期化を行うことにより、ＡＭＣ（ＡＴＰ（Ａｉｒ  Ｔｅｒｍｉｎａｔｉｏｎ  Ｐｒｏｃｅｓｓｏｒ）  Ｍａｃ  Ｃｏｎｔｒｏｌ）とトラヒック関連シグナリングを処理するトラヒックデーモン処理部と、キューのリストを管理し、キューのメッセージをＡＭＣに伝送するデータ伝送処理部と、端末機から受信したＬＣＰ／ＩＰＣＰ／ＩＰプロトコルフレームを受信して処理するＰＭＩ処理部と、ＤＣＮとイーサネット（登録商標）パケット通信を行うネットワーク処理部と、を含んでなると好ましい。
【００１２】
さらに、本発明では、構内無線インターネットパケットデータ通信方法も提供する。すなわち、構内パケットデータサービス領域に位置した端末機に無線資源を割当て、端末機との無線通信を行う多数の構内ＢＴＳと、前記構内ＢＴＳから要求される呼が構内パケットサービスの要求であるとき、パケットデータをサービスする構内ＢＳＣと、を備えてなり、構内ＢＳＣが、構内ＢＳＣの無線呼処理を担当し、端末機から受信した電話番号を分析して構内または公衆呼を判断するＢＭＰと、構内ＢＳＣの無線パケットデータ及びシグナルの制御及び生成を処理するＡＴＰ−ｄと、構内ＢＳＣとＤＣＮとの間に連結されて構内無線パケットをサービスするｐＰＤＰと、を含む構内無線インターネット通信システムの構内パケットデータサービス方法において、ＡＴＰ−ｄとＤＣＮとの間で端末機のパケットデータの送受信に必要なＩＰ割当て及び解除、ＲＰコネクションの生成／終了などの管理及びパケット呼に関する状態を処理する過程と、ＡＭＣとＤＣＮとの間でデータを送受信する過程と、ＢＡＮと維持補修及び管理機能ブロックとのインターフェースを行い、ＡＭＣとＡＴＭ  ＰＶＣの状態点検及びＤＣＮとのリンク状態を点検する過程と、からなり、構内ＢＴＳから要求される呼のダイアリング番号が構内パケットサービスの要求でなければ、公衆網ＢＳＣに呼情報を伝送し、構内パケットサービスの要求であれば、無認証、無課金及びＩＰサービスでパケットデータサービスを提供することを特徴とする。
【００１３】
【発明の実施の形態】
以下、本発明の好ましい実施例を添付図面に基づいて詳しく説明する。下記の説明において、本発明の要旨のみを明瞭にする目的で、関連した公知機能又は構成に関する具体的な説明は省略する。
【００１４】
本発明の好ましい実施例として、構内無線インターネット通信システムのための構内パケットデータサービス装置を説明する。この構内パケットデータサービス装置は、構内パケットデータサービス領域（ｏｆｆｉｃｅ  ｐａｃｋｅｔ  ｄａｔａ  ｓｅｒｖｉｃｅ  ｚｏｎｅ）に位置する多数の構内ＢＴＳとＣＤＭＡ方式の無線パケットデータサービスを行う構内ＢＳＣとを含む。多数の構内ＢＴＳは該当サービス領域の端末機と無線通信を行う。この場合、多数の構内ＢＴＳから要求される呼のダイアリング番号が構内パケットサービスの要求でなければ、公衆網ＢＳＣに呼情報を伝送し、構内パケットサービスの要求であれば、無認証、無課金及びＩＰサービスのためのパケットデータサービスを提供する。構内ＢＳＣは、ＡＭＣ（ＡＴＰ（Ａｉｒ  Ｔｅｒｍｉｎａｔｉｏｎ  Ｐｒｏｃｅｓｓｏｒ）  Ｍａｃ  Ｃｏｎｔｒｏｌ）とＤＣＮ（Ｄａｔａ  Ｃｏｒｅ  Ｎｅｔｗｏｒｋ）との間で端末のパケットデータの送受信に必要なＲＰコネクション（Ｒａｄｉｏ  Ｐａｃｋｅｔ  ｃｏｎｎｅｃｔｉｏｎ）の生成または終了などの管理及びパケット呼に関する状態変更を処理するパケットデータ呼制御部（ＰＤＣＣ：  Ｐａｃｋｅｔ  Ｄａｔａ  Ｃａｌｌ  Ｃｏｎｔｒｏｌｌｅｒ）と、ＡＭＣとＤＣＮとの間でデータ送受信を担当するパケットデータトラヒック制御部（ＰＤＴＣ：Ｐａｃｋｅｔ  Ｄａｔａ  Ｔｒａｆｆｉｃ  Ｃｏｎｔｒｏｌｌｅｒ）と、ＢＡＮと維持補修及び管理機能ブロックとのインターフェース、ＡＭＣとＡＴＭ  ＰＶＣの状態点検及びＡＭＣとＤＣＮとの間のリンク状態点検を担当するパケットデータ管理部（ＰＤＭＡ：  Ｐａｃｋｅｔ  Ｄａｔａ  Ｍａｉｎｔｅｎａｎｃｅ  ＆  Ａｄｍｉｓｔａｔｉｏｎ  ｐａｒｔ）とを含む。
【００１５】
ここで、パケットデータ呼制御部ＰＤＣＣはＡＭＣとＤＣＮとの間で端末のパケットデータの送受信に必要なＲＰコネクションの生成または終了などの管理及びパケット呼に対する状態変更を処理する。ＡＭＣはパケット呼と回線呼（ｃｉｒｃｕｉｔ  ｃａｌｌ）に関するトラヒックチャネルを担当する機能を行う。このようなパケットデータ呼制御部ＰＤＣＣは、端末のデータサービスに関するメッセージ、パケット呼制御ＰＣＣ処理部における使用時間関連メッセージ及び休止状態（ｄｏｒｍａｎｔ  ｓｔａｔｅ）における端末データの処理のためのメッセージなどを処理するシグナリングデーモン（ＡＲＳＤ：  ＡＴＰ−ＲＰＰ  Ｓｉｇｎａｌｌｉｎｇ  Ｄａｅｍｏｎ）処理部と、各パケット呼に対する状態を制御し、メッセージの受信時に該当端末の状態遷移を制御するパケット呼制御（ＰＣＣ：  Ｐａｃｋｅｔ  Ｃａｌｌ  Ｃｏｎｔｒｏｌ）処理部と、パケット呼制御ＰＣＣ処理部からの端末の状態変更情報を管理し、その状態遷移情報を各モジュールに機能的なＡＰＩの形態で提供するパケットロケーションレジスタ（ＰＬＲ：  Ｐａｃｋｅｔ  Ｌｏｃａｔｉｏｎ  Ｒｅｇｉｓｔｅｒ）処理部と、ＰＰＰの割当て及び解除を管理するＰＰＰ管理処理部（ＰＰＰＭ：  Ｐｏｉｎｔ−ｔｏ−Ｐｏｉｎｔ  Ｐｒｏｔｏｃｏｌ  Ｍａｎａｇｅｍｅｎｔ  ｐｒｏｃｅｓｓｉｎｇ  ｐａｒｔ）と、ＩＰアドレスを割当てるＩＰ割当て処理部（ＩＰＡ：Ｉｎｔｅｒｎｅｔ  Ｐｒｏｔｏｃｏｌ  Ａｌｌｏｃａｔｉｏｎ  ｐｒｏｃｅｓｓｉｎｇ  ｐａｒｔ）とを備えてなる。
【００１６】
さらに、パケットデータトラヒック制御部ＰＤＴＣはＡＭＣとＤＣＮとの間でパケットデータの送受信を担当する機能を行う。パケットデータトラヒック制御部ＰＤＴＣは、受信したデータパケットをＰＭＩタスクに伝送し、休止ページングの要請、プログラムフロー制御に関するフラグセッティング、休止状態の終了時にキュー（ｑｕｅｕｅ）を初期化してＡＭＣとトラヒック関連のシグナリング操作を処理するトラヒックデーモン（ＡＲＴＤ：  ＡＴＰ−ＲＰＰ  Ｔｒａｆｆｉｃ  Ｄａｅｍｏｎ）処理部と、キューリストを管理し、キューメッセージをＡＭＣに伝送するデータ伝送処理部（ＹＡＴ：Ｙｅｔ  Ａｎｏｔｈｅｒ  Ｓｅｎｄｉｎｇ  Ｔａｓｋ  ｐｒｏｃｅｓｓｉｎｇ  ｐａｒｔ）と、端末から送信されるＬＣＰ／ＩＰＣＰ／ＩＰプロトコルフレームを受信して処理するＰＭＩ処理部と、ＤＣＮとイーサネット（ｅｉｔｈｅｒｎｅｔ）パケット通信を行うネットワーク処理部（ｐＮＡ：  ｐＳＯＳ＋  Ｎｅｔｗｏｒｋ  Ａｒｃｈｉｔｅｃｔｕｒｅ  ｐｒｏｃｅｓｓｉｎｇ  ｐａｒｔ）とを備えてなる。
【００１７】
図２は本発明の好ましい実施例による構内無線インターネットサービスシステムを示した図である。
【００１８】
図２を参照すれば、構内パケット領域１００は構内（私設又はローカル）無線データ網であって、多数の構内ＢＴＳ（１１１−１１Ｎ）と構内ＢＴＳ（１１１−１１Ｎ）の通信を制御する構内ＢＳＣ１２０とから構成される。構内ＢＳＣ１２０は基地局制御器ＢＳＣ内のＡＴＭ経路を総称するＢＡＮ（ＢＳＣ  ＡＴＭ  Ｎｅｔｗｏｒｋ）１２１と、ＲＬＰソフトウェアブロックを動作させるＢＳＣハードウェアボード機能を行うＡＴＰ−ｄ（Ａｉｒ  Ｔｅｒｍｉｎａｔｉｏｎ  Ｐｒｏｃｅｓｓｏｒ  ｂｏａｒｄ）１２２と、構内データ機能を提供するソフトウェアブロックを動作させるＢＳＣハードウェアボード機能を行う無線パケット（ＲＰ）接続部１２３とから構成される。構内ＢＳＣ１２０はスイッチングネットワーク装置であるハブスイッチ１３０に連結され、そのハブスイッチ１３０はｐＢＳＭ（ｐｒｉｖａｔｅ  Ｂａｓｅ  Ｓｔａｔｉｏｎ  Ｍａｉｎｔｅｎａｎｃｅ  ｄｅｖｉｃｅ）データサーバ１４０及びゲートウェイ１５０などに連結される。ｐＢＳＭデータサーバ１４０はｐＢＳＭ装置であって、ハブスイッチ１３０を通じてＢＡＮ２１０に連結される。ゲートウェイ１５０は一般的なネットワーク装置であって、他のネットワークセグメントにパケットを伝送するときの通過経路として用いられる。ゲートウェイ１５０はインターネット／イントラネット（Ｉｎｔｅｒｎｅｔ／Ｉｎｔｒａｎｅｔ）などに連結される。さらに、構内インターネットサービスシステムは構内の端末機使用者が公衆網無線インターネットサービスまたは無線音声通信を利用するように公衆網ＢＳＣ１９０に連結される。
【００１９】
まず、構内ＢＴＳ（１１１−１１Ｎ）は端末機ＭＳとＣＤＭＡ方式の無線通信機能をサービスし、構内ＢＳＣ１２０は構内ＢＴＳ（１１１−１１Ｎ）の機能を制御する。ここで、構内ＢＳＣ１２０は端末機ＭＳの送信信号を構内ＢＴＳ（１１１−１１Ｎ）を通じて受信すると、端末機ＭＳが構内無線インターネットまたは音声通信サービスを要求するか、そうでなければ、公衆網インターネットサービスまたは音声通信サービスを要求するかを判断すべきである。このため本発明の実施例では、構内ＢＳＣ１２０は端末機ＭＳから受信した使用者のダイアリング情報を用いて公衆網及び構内インターネットサービスを区分する。すなわち、端末機ＭＳには公衆無線インターネットサービスシステムに接続するための電話番号と構内無線インターネットサービスシステムに接続するための電話番号を相違して割当てる。端末機ＭＳの使用者はインターネット通信時に構内または公衆網の電話番号を通じてアクセスを試みる。従って、構内ＢＳＣ１２０は受信したダイアリング番号に応じて構内網または公衆網サービスを区分する。この場合、上述した区分のために別途のデータベースは必要でなく、着信番号フィールドを用いて公衆網ＢＳＣ１９０と構内網ＢＳＣ１２０を通じたパケットデータサービスを決める。
【００２０】
さらに、構内インターネットサービスシステムはＡＴＭスイッチのようなバックボーン網を使用せず、ハブスイッチ１３０を通じて無線パケットデータを分配し、ＰＤＳＮ（Ｐａｃｋｅｔ  Ｄａｔａ  Ｓｅｒｖｉｎｇ  Ｎｏｄｅ）及びＤＣＮなどのようなデータ装置の機能を構内ＢＳＣ１２０内のＲＰＰでソフトウェア機能としてパケットデータを処理する。
【００２１】
図３は本発明の実施例による構内ＢＳＣ１２０が構内無線インターネットパケットサービス機能を行うソフトウェアブロック構成を示した図である。ソフトウェアブロックはｐＰＤＰ（ｐｒｉｖａｔｅ  Ｐａｃｋｅｔ  Ｄａｔａ  Ｐｒｏｃｅｓｓｏｒ）を備えるが、ｐＰＤＰブロックは各タスク間でメッセージ処理フローを制御する。
【００２２】
図３を参照すれば、ＢＡＮ（ＢＳＣ  ＡＴＭ  Ｎｅｔｗｏｒｋ）２１０はＢＳＣ内のすべてのＡＴＭ経路を総称するものである。構内ＢＴＳ１１０は端末機ＭＳとＣＤＭＡ方式で無線通信を行い、端末機ＭＳに無線資源を割当てる機能を行う。ｐＢＳＭ１４０は構内無線網の維持補修機能を行い、加入者の登録情報を管理する。ＡＴＰ−ｄ１２２は無線パケットデータ及びシグナルの制御又は生成を処理する機能を行う。従って、ＡＴＰ−ｄ１２２はＲＬＰ（Ｒａｄｉｏ  Ｌｉｎｋ  Ｐｒｏｔｏｃｏｌ）処理機能を行う。ＢＭＰ２２０は無線呼処理を担当するソフトウェアブロックが動作するＢＳＣのハードウェアボードであって、ＢＴＭＲ（Ｂａｓｅ  Ｔｒａｎｓｍｉｔｔｅｒ  Ｍｅｓｓａｇｅ  Ｒｏｕｔｅｒ）機能を行う。ＢＭＰ２２０は端末機ＭＳから受信する電話番号を分析して構内または公衆呼であるかを判断する機能を行う。ｐＰＤＰ２３０は構内データ機能を提供するソフトウェアブロックが動作するＢＳＣハードウェアボードであって、無線パケット接続部１２３と同じ機能を行う。さらに、ＤＣＮ（Ｄａｔａ  Ｃｏｒｅ  Ｎｅｔｗｏｒｋ）２４０は一般的なＬＡＮ網に連結された装置をいう。本発明の実施例では、図３に示したｐＰＤＰ２３０を中心にして構内無線網の動作を調べる。
【００２３】
図４は図３のｐＰＤＰブロック２３０の構成を示した図である。ｐＰＤＰ２３０はパケットデータ管理部ＰＤＭＡ２３５、パケットデータ呼制御部ＰＤＣＣ２３１及びパケットデータトラヒック制御部ＰＤＴＣ２３３とを備えてなる。
【００２４】
図４を参照すれば、ＰＤＭＡ２３５はＢＡＮ２１０の運用及び補修（Ｏ＆Ｍ：  Ｏｐｅｒａｔｉｏｎ  ＆  Ｍａｉｎｔｅｎａｎｃｅ）機能ブロックとのインターフェース接続をするモジュールである。Ｏ＆Ｍ機能ブロックとのインターフェース以外にＡＭＣとＡＴＭ  ＰＶＣの状態点検、ＤＣＮ２４０とのリンク状態点検などを行う。ＰＤＭＡ２３５はｐＢＳＭ１４０からＩＰアドレスを受信して貯蔵し、呼処理時にＩＰアドレスを用いて構内インターネット通信を行う。ＰＤＣＣ２３１はＡＭＣとＤＣＮ２４０との間で端末のパケットデータの送受信に必要なＲＰコネクションの生成や終了などの管理及びパケット呼に対する状態処理を担当する。すなわち、ＰＤＣＣ２３１は呼の発生時に応答してパケットデータの通信経路を形成する。ＰＤＴＣ２３３はＡＭＣとＤＣＮ２４０との間でパケットデータの送受信を行う。
【００２５】
ｐＰＤＰブロック２３０は次のような機能を有する。まず、ｐＰＤＰブロック２３０は構内パケット呼に対する制御及び状態遷移機能を行う。第二に、ｐＰＤＰブロック２３０は構内無線パケットインターネットサービスのためのＰＰＰデモーン（Ｐｏｉｎｔ−ｔｏ−Ｐｏｉｎｔ  Ｐｒｏｔｏｃｏｌ  ｄａｅｍｏｎ）機能を行う。第三に、ｐＰＤＰブロック２３０はパケットデータに対するトラヒックシグナリング（例えば、ＡＲＩ  ｆｌｏｗ  ｃｏｎｔｒｏｌ）及びＰＮＡ（Ｐａｃｋｅｔ  Ｎｅｔｗｏｒｋ  Ａｒｃｈｉｔｅｃｔｕｒｅ）機能を行う。第四に、ｐＰＤＰブロック２３０は休止バッファリング及びページング要求、パケットリンクレジスタ及びパケット維持補修機能を行う。
【００２６】
図８は本発明の実施例による構内無線インターネットサービスの実行過程を示したフローチャートである。
【００２７】
図８を参照すれば、構内無線パケットサービスを受けるために無線端末機の使用者は無線端末機に別途のサービスメニューを登録またはローディングすべきである。その後、構内無線端末機の使用者が構内無線パケットサービスを要求すると、ＢＳＴ呼処理ブロック（ＢＴＳ  Ｓｉｇ．）はこれをＢＳＣ呼処理ブロック（ＢＳＣ  Ｓｉｇ．）に伝送する。ＢＳＣ呼処理ブロック（ＢＳＣ  Ｓｉｇ．）は呼を公衆網ＢＳＣ１９０に連結するか、そうでなければ、構内網ＢＳＣ１２０に連結するかを決める。この場合、その判断は受信したダイアリング番号情報のフィールドを参照して行われる。この際、構内ＢＳＣ１２０への連結を感知すると、ＢＳＣ  Ｓｉｇ．はこれをＡＭＣブロックに知らせ、ＡＭＣブロックは連結情報をｐＰＤＰブロックに伝送することにより、構内インターネットサービスを提供する。
【００２８】
このようにシグナリングが正常終了した後に、図８の二重線で示したリンク間（端末またはノートブックＰＣとｐＰＤＰブロック）でセットアップがなされると、端末またはノートブックＰＣにはＩＰアドレスが割当てられる。このように割当てられたＩＰアドレスを用いて端末またはノートブックＰＣは使用者が所望するインターネットまたはイントラネットへの接続が可能となる。ここで、ＰＰＰは一般的なプロトコルであるため、その説明は省略するが、シグナル処理はＣＤＭＡ２０００  ３Ｇ−１ｘのデータ呼シグナル過程と同一である。本発明の実施例では上述したように構内網と公衆網を区分する過程がさらに備えられる。
【００２９】
図２−図４を参照して説明したように、構内に登録されたＣＤＭＡ２０００  ３Ｇ−１ｘ端末機を用いてノートブックＰＣに連結するか、端末機のインターネットに接続を試みると、構内ＢＴＳ１１０は端末機ＭＳに無線資源を割当て、端末機ＭＳと構内ＢＴＳ１１０はＣＤＭＡ方式の無線通信を行う。この際、端末機ＭＳから送信される情報は構内ＢＴＳ１１０を通じて構内ＢＳＣ１２０に伝えられる。その後、構内ＢＳＣ１２０は受信したダイアリング番号情報を用いて構内網または公衆網システムへの接続であるか否かを判断する。この際、本発明による構内インターネットパケットサービスシステムの接続が決定されると、構内ＢＳＣ１２０のｐＰＤＰブロックにサービス呼シグナリングメッセージが送信され、図５に示した内部タスク間の処理過程により端末機にパケット接続の許容を知らせる。その後、図６のようなトラヒックデータ処理を通じてＰＰＰマッチング及び使用者サービスＩＰパケットデータを送受信する。
【００３０】
図５は図４に示したＰＤＣＣ２３１と外部ブロックとのインターフェース構造を示した図である。
【００３１】
図５を参照すれば、ＰＤＣＣモジュール２３１はＡＭＣ３２１とＤＣＮ２４０との間で端末のパケットデータ送受信に必要なＲＰコネクションの生成／終了などの管理及びパケット呼に対する状態を処理する。ＡＭＣ３２１はパケット呼と回線呼に対するトラヒック処理を担当するＡＴＰ−ｄ１２２内のソフトウェアブロックである。
【００３２】
ＡＲＳＤ処理部（ＡＴＰ−ＲＰＰ  Ｓｉｇｎａｌｌｉｎｇ  Ｄａｅｍｏｎ  ｐｒｏｃｅｓｓｉｎｇ  ｐａｒｔ）３１３は端末のデータサービス開始／中止／再開／終了／課金などに関するメッセージ、ＰＣＣ処理部３１１で使用するタイマ関連終了メッセージ及び休止（ｄｏｒｍａｎｔ）状態の端末に対するデータ処理のためのメッセージ（ページング／データ伝送メッセージ）を処理する。
【００３３】
ＰＣＣ処理部（Ｐａｃｋｅｔ  Ｃａｌｌ  Ｃｏｎｔｒｏｌｌｅｒ  ｐａｒｔ）３１１はすべての呼処理を担当する。一つのモバイルセッション（ｍｏｂｉｌｅ  ｓｅｓｓｉｏｎ、例えば、パケット呼）は該当状態を備え、メッセージの受信に対して状態遷移を行う。ＰＣＣ処理部３１１は一つのモバイルセッションに対する状態遷移過程を行い、現在の状態はＰＬＲ処理部３１５に登録して管理し、状態変更はＰＣＣ処理部３１１のみに対して行われる。さらに、ＰＣＣ処理部３１１はエラーメッセージに対するエラー処理も行う。ＰＬＲ（Ｐａｃｋｅｔ  Ｌｏｃａｔｉｏｎ  Ｒｅｇｉｓｔｅｒ）処理部３１５はｐＰＤＰ２３０のためのすべての状態情報を管理して内部のＰＬＲに貯蔵し、各モジュールに機能的なＡＰＩの形態で提供する。ＰＰＰＭ処理部（ＰＰＰ  Ｍａｎａｇｅｍｅｎｔ  ｐｒｏｃｅｓｓｉｎｇ  ｐａｒｔ）３１７はＰＰＰを管理する。ＩＰＡ処理部（ＩＰ  Ａｌｌｏｃａｔｉｏｎ  ｐｒｏｃｅｓｓｉｎｇ  ｐａｒｔ）３１９はＩＰを割当てる機能を行う。
【００３４】
図６はＰＤＴＣ２３３と外部ブロックとのインターフェース構造を示した図である。
【００３５】
図６を参照すれば、ＰＤＴＣ２３３はＡＭＣ３２１とＤＣＮ２４０との間でデータ送受信を担当する。ＰＤＴＣ２３３は、ＡＭＣ３２１とトラヒック関連シグナリングを処理するタスクをＡＲＴＤ処理部３３１と、ＡＭＣ３２１へのトラヒック伝送を行うタスク機能を実行するＹＡＴ（Ｙｅｔ  Ａｎｏｔｈｅｒ  （Ｓｅｎｄｉｎｇ）  Ｔａｓｋ）３３７と、端末から送信されるＬＣＰ／ＩＰＣＰ／ＩＰプロトコルフレームを受信して処理するタスクとしての機能を行うＰＭＩ３３３と、ＤＣＮ２４０とのイーサネットパケット通信を行うｐＮＡ（ｐＳＯＳ＋  Ｎｅｔｗｏｒｋ  Ａｒｃｈｉｔｅｃｔｕｒｅ）３４３とを備える。ここで、ＡＭＣ３２１のトラヒック関連シグナリングにはフロー制御信号、休止バッファリングのためのページング要請信号などがある。
【００３６】
まず、ＡＲＴＤ処理部３３１はＩＰＣメールボックス（Ｉｎｔｅｒ  Ｐｒｏｃｅｓｓｏｒ  Ｃｏｍｍｕｎｉｃａｔｉｏｎ  ｍａｉｌ  ｂｏｘ）から受信したデータパケットをＰＭＩタスクに伝える。  ＡＲＴＤ処理部３３１はデータ伝送以外に休止ページング要請、フロー制御に関するフラグセッティング、休止状態の終了時にキューを初期化する。ＡＲＴＤ処理部３３１はＤＣＮ２４０からｐＮＡ処理部３４３で受信したメッセージ（パケット）を直接、ＡＭＣ３２１に伝送せず、伝送担当タスクのＹＡＴ処理部３３７が管理するキューリストに挿入する。ＹＡＴ処理部３３７は活性化キューリストを管理しながらＡＭＣ３２１にデータを伝送する。  ｐＮＡ処理部（ｐＳＯＳ＋  Ｎｅｔｗｏｒｋ  Ａｒｃｈｉｔｅｃｔｕｒｅ  ｐｒｏｃｅｓｓｉｎｇ  ｐａｒｔ）３４３はＩＰルーティング（ｒｏｕｔｉｎｇ、例えば、ＩＰアドレス）を行う。すなわち、ｐＮＡ処理部３４３はＩＰパケットをイーサネットを通じて受信すると、ＩＰアドレスがＰＰＰデバイスで宣言されたアドレスであるかを判断する。ＩＰアドレスが宣言されたアドレスであれば、ｐＮＡは予め宣言された関数で該当端末機をコールする。
【００３７】
図７は図４に示したＰＤＭＡ２３５と外部ブロックとのインターフェース構造を示した図である。
【００３８】
図７を参照すれば、ＰＤＭＡ２３５はＢＡＮ２１０のＯ＆Ｍ機能ブロックとのインターフェースを行うモジュールである。Ｏ＆Ｍ機能ブロックとのインターフェース以外にＡＭＣ３２１に対するＡＴＭ  ＰＶＣの状態点検、ＤＣＮ２４０とのリンク状態点検などを行う。ＰＤＭＡモジュール２３５はｐＰＤＰ２３０の初期化時にＢＡＮ２１０の構成及びフォーマット管理ブロックからフォーマットデータを受信してｐＰＤＰフォーマットレコードの値を指定する。ＢＡＮ２１０の測定及び統計処理ブロックが周期的に統計データを要求すると、ＰＬＲのｐＰＤＰ及び各セッションの統計データを読み出して測定及び統計処理ブロックに伝送する。ＢＡＮ２１０の状態管理ブロックはｐＰＤＰの状態を確認するためにＰＩＮＧ（Ｐａｃｋｅｔ  Ｉｎｔｅｒｎｅｔ  Ｇｒｏｕｐｅｒ）処理を行い、この要求に対してＰＤＭＡ２３５が応答する。かつ、ＰＤＭＡ２３５は周期的にｐＰＤＰ２３０とＤＣＮ２４０のリンク状態をＰＩＮＧ処理して障害発生時の障害内容をＢＡＮ２１０の障害管理ブロックに知らせる。その後、ＰＤＭＡ２３５はｐＰＤＰ２３０とＤＣＮ２４０のリンク状態を続けて点検して再度正常状態になると、障害解除をＢＡＮ２１０の障害管理ブロックに知らせる。さらに、ＰＤＭＡ２３５はＢＡＮの診断ブロックが診断命令を下すと、ｐＰＤＰ２３０とＤＣＮ２４０のリンク状態を再度点検して診断結果信号を伝送する。ＰＤＭＡ２３５はｐＢＳＭ１４０からＩＰアドレステーブルを受信して貯蔵し、ＰＤＳＣ２３１が端末機ＭＳにＩＰアドレスを割当てるように制御する。
【００３９】
次の図９−図１２は構内無線インターネット通信システムで呼の制御及びパケットデータを伝送する過程を示したフローチャートである。
【００４０】
図９−図１２を参照すれば、ＡＭＣ３２１はＡＴＰ−ｄ１２２の呼シグナル処理プロセスであり、ＰＣＣ３１１はデータ呼に対する状態処理プロセスである。ＡＲＳＤ３１３はＰＣＣ３１１とインターフェース接続されるｐＰＤＰボードのシグナル処理プロセスであり、ＰＬＲ３１５は接続端末に対する情報を貯蔵するプロセスである。ＰＰＰＭ３１７及びＩＰＡ／ＰＰＰＤ３１９はそれぞれＰＰＰサーバに対する維持及びＩＰアドレスを管理するプロセスである。
【００４１】
さらに、ＲＭＡＣ３５１はＡＴＰボードのデータを処理するプロセスであり、ＡＲＴＤ３３１はＲＭＡＣ３５１とインターフェースされるｐＰＤＰボードのプロセスであり、ＰＭＩ３３３はＰＰＰサーバに伝送させるためにデータを処理するプロセスである。ｐＮＡ＋３４３はｐＳＯＳネットワーク構造（ｎｅｔｗｏｒｋ  ａｒｃｈｉｔｅｃｔｕｒｅ）であって、イーサネットハードウェア装置と連動する装置駆動部である。
【００４２】
図９は本発明の実施例による構内無線インターネット通信システムでパケット呼をセットアップする過程を示したフローチャートである。
【００４３】
図９及び図５を参照すれば、呼の発生時にステップ４１１でＡＭＣ３２１はＡＲＳＤ３１３に連結要求メッセージを伝送し、ＡＲＳＤ３１３はステップ４１２で連結要求メッセージをＰＣＣ３１１に伝送する。その後、ＰＣＣ３１１はステップ４１３で連結要求メッセージをＰＬＲ３１５に伝送する同時に、ステップ４１４でＰＰＰＭ３１７にＰＰＰ割当て要求メッセージを伝送する。その後、ステップ４１６でＰＰＰＭ３１７はＩＰＡ／ＰＰＰＤ３１９にＩＰ割当て要求メッセージを伝送し、ステップ４１７でＩＰＡ／ＰＰＰＤ３１９は呼を発生した端末機ＭＳが使用するＩＰを割当ててＰＰＰＭ３１７に伝送する。ＩＰが割当てられると、ステップ４１８でＰＰＰＭ３１７はＰＰＰの生成を確認するメッセージをＰＣＣ３１１に伝送する。その後、ステップ４１９でＰＬＲ３１５はＰＬＬアドレスを要求するメッセージをＰＰＰＭ３１７に伝送する。これにより、ステップ４２０でＰＰＰＭ３１７はＰＬＲアドレスを確認するメッセージをＰＬＲ３１５に伝送する。その後、ＰＰＰＭ３１７はステップ４２１でＰＰＰ割当てを確認するメッセージをＰＣＣ３１１に伝送する。このような過程によって、呼を発生した端末機ＭＳにＩＰが割当てられる。
【００４４】
このようなＩＰの割当て後、ステップ４２２でＰＣＣ３１１はＰＬＲ３１５を活性状態に遷移するように制御し、ステップ４２３ではＡＲＳＤ３１３への連結を確認するメッセージを伝送する。その後、ステップ４２４でＡＲＳＤ３１３は連結確認メッセージをＡＭＣ３２１に伝送する。このような過程により、構内無線網でインターネットパケットサービスを行うための呼制御を行う。
【００４５】
上述したように、ステップ４１１−ステップ４１３はデータの呼発信に対するメッセージを受信して該当メッセージの類型を確認した後、該当端末の状態を処理する。その後、ステップ４１４−ステップ４２１は該当端末セッション（パケット呼）に対するＰＰＰサーバとのインターフェース接続を行い、ＩＰアドレスを予め割当て及び貯蔵する機能を行う。さらに、ステップ４２２−ステップ４２４は該当端末の状態を活性状態に変更した後、データの呼を要求した相対ブロックに応答する。
【００４６】
図１０は本発明の実施例による構内無線インターネット通信システムでセットアップ呼を解除する過程を示したフローチャートである。
【００４７】
図１０及び図５を参照すれば、パケット通信時にＰＣＣ３１１は活性状態を保持している。この際、パケット解除要求が発生すると、ステップ４６１でＡＭＣ３２１はＡＲＳＤ３１３にパケット解除を要求するメッセージを伝送し、ステップ４６２でＡＲＳＤ３１３はＰＣＣ３１１に活性化状態のパラメータの解除を要求するメッセージを伝送する。その後、ステップ４６３でＰＣＣ３１１はこれに対する応答メッセージを伝送し、ステップ４６４でＡＲＳＤ３１３もＡＭＣ３２１に受信応答メッセージによるメッセージを伝送する。
【００４８】
その後、ステップ４６５でＰＣＣ３１１はＰＬＲ３１５に端末機ＭＳの呼解除を要求するメッセージを伝送すると同時に、ステップ４６６でＰＣＣ３１１はＰＰＰＭ３１７にＰＰＰの解除を要求するメッセージを伝送する。その後、ステップ４６７でＰＰＰＭ３１７はＰＬＲ３１５にＰＬＲの削除を要求するメッセージを伝送し、これに応答してステップ４６８でＰＬＲ３１５はＰＬＲを削除した後、これを確認するメッセージをＰＰＰＭ３１７に伝送する。さらに、ステップ４７０でＰＰＰＭ３１７はＩＰＡ／ＰＰＰＤ３１９にＩＰ復旧を要求するメッセージを伝送し、ステップ４７１でＩＰＡ３１９はＩＰを復旧し、これを確認するメッセージをＰＰＰＭ３１７に伝送する。その後、ステップ４７３でＰＰＰＭ３１７はＰＰＰの削除を確認するメッセージをＰＣＣ３１１に伝送し、ステップ４７４でＰＣＣ３１１はＰＬＲの記録を解除し、呼解除過程を終了する。
【００４９】
上述したように、ステップ４６１−ステップ４６４では呼解除に対するメッセージの類型を確認し、相対ブロックに該当端末の貯蔵情報を含む応答を伝送する。その後、ステップ４６５で該当端末の状態を変更し、ステップ４６６−ステップ４７３では該当端末のＰＰＰサーバ及びデータベースに連関する情報を解除する。次に、ステップ４７４では該当端末の状態を変更した後、プログラムを終了する。
【００５０】
図１１は本発明の実施例による構内無線インターネット通信システムでＡＴＰ−ｄ１２２からＤＣＮ２４０にパケットデータを伝送する過程を示したフローチャートである。
【００５１】
図１１及び図６を参照すれば、ステップ５１１でＲＭＡＣ３５１はパケットデータをＡＲＴＤ３３１に伝送し、ステップ５１２でＡＲＴＤ３３１はＰＭＩ３３３にパケットデータ伝送を命令する。その後、ステップ５１３でＰＭＩ３３３はｐＮＡ＋３４３にＩＰパケットメッセージを伝送し、ステップ５１４でｐＮＡ＋３４３はＩＰパケットをイーサネットフレームに変換してＤＣＮ２４０に伝送する。
【００５２】
上述したように、ステップ５１１−ステップ５１２でｐＰＤＰ処理部２３０はＡＴＰ−ｄ１２２からデータを受信してＰＰＰサーバの以前の段階に伝送する。その後、ステップ５１３ではＰＰＰサーバを通じてデコーディングを行い、その結果をｐＮＡ＋３４３にＩＰパケットの形態で伝送し、ステップ５１４では物理的なイーサネットデバイスを通じてフレームの形態で伝送する。
【００５３】
図１２は本発明の実施例による構内無線インターネット通信システムでＤＣＮからＡＴＰにパケットデータを伝送する過程を示したフローチャートである。
【００５４】
図１２及び図６を参照すれば、  ステップ５６１でＤＣＮ２４０がイーサネットフレームメッセージをｐＮＡ＋３４３に伝送し、ステップ５６２でｐＮＡ＋３４３はイーサネットフレームメッセージをＩＰパケットに変換した後、ＡＲＴＤ３３１にメッセージの伝送を命令する。この際、ＰＣＣ３１１はステップ５６３で端末機ＭＳを活性状態または休止状態に制御することもある。ここで、端末機ＭＳの状態はＰＬＲ３１５のフロー制御フラグの情報に基づいて活性状態または休止状態であるかを判断する。端末機ＭＳの状態が活性状態であれば、ステップ５６４でＡＲＴＤ３３１はＲＭＡＣ３５１にメッセージを伝送し、活性中止状態（ａｃｔｉｖｅ＿ｓｔｏｐ）であれば、ＡＲＴＤ３３１はフロー制御バッファにメッセージを貯蔵する。さらに、端末機ＭＳの状態が休止状態であれば、ＡＲＴＤ３３１はページング要求パラメータをＡＲＳＤ３１３に要求し、ステップ５６７で休止バッファにページング要求パラメータを貯蔵する。
【００５５】
上述したように、ステップ５６１でネットワーク（イーサネット）からフレームを受信してｐＮＡ＋３４３に伝送し、ステップ５６２ではＡＴＰ−ｄ１２２とデータを伝送するためにインターフェース接続されるＡＲＴＤ３３１にそのフレームを伝送する。ステップ５６３では、現在の端末状態を貯蔵したＰＬＲ３１５から状態情報を確認する。その後、ステップ５６４で端末機の該当処理ブロックの間に物理的な連結がなされると、該当端末にデータを伝送する。しかしながら、物理的に連結されていなければ（休止状態）、  ステップ５６６，５６７で内部バッファに該当状態を貯蔵した後、端末機ＭＳの位置確認のために（すなわち、連結を再設定するために）シグナル処理を行う。
【００５６】
【発明の効果】
上述したように、本発明によれば、ＣＤＭＡ方式で高速無線パケットデータサービスを提供する構内無線インターネット網を具現することができ、構内無線インターネット網を用いて特定の用途（無認証、無課金、簡単なＩＰサービス）のサービスを提供することもでる。従って、低コストを達成するとともに高速のパケットデータサービスを支援して開発技術のアップグレードを迅速に行えるという利点がある。
【図面の簡単な説明】
【図１】従来技術による構内無線パケットサービスシステムの構成を示した図。
【図２】図２は本発明の実施例による構内無線インターネットパケットサービス機能を備えるソフトウェアブロック構成と関連インターフェースを示した図。
【図３】図３は本発明の実施例による構内無線インターネットパケットサービス機能を備えるソフトウェアブロック構成と関連インターフェースを示した図。
【図４】図４は本発明の実施例による構内無線パケットデータ呼に対するシグナリング処理のための内部タスク及び過程を示した図。
【図５】図５はシグナリング過程後に発生するトラヒックデータ（ＰＰＰ  ｆｒａｍｅ）を処理するタスクと過程を示した図。
【図６】図６は本発明の実施例によるブロックに対するフォーマット管理情報と診断、障害処理のための内部タスクを示した図。
【図７】図７は本発明の実施例によるＰＤＭＡモジュール２３５と外部とのインタフェース構造を示した図。
【図８】図８は本発明の実施例による構内無線インターネットサービスの実行過程を示したフローチャート。
【図９】図９は本発明の実施例による構内無線インターネット通信システムでパケット呼をセットアップする過程を示したフローチャート。
【図１０】図１０は本発明の実施例による構内無線インターネット通信システムでセットアップ呼を解除する過程を示したフローチャート。
【図１１】図１１は本発明の実施例による構内無線インターネット通信システムでＡＴＰからＤＣＮにパケットデータを伝送する過程を示したフローチャート。
【図１２】図１２は本発明の実施例による構内無線インターネット通信システムでＤＣＮからＡＴＰにパケットデータを伝送する過程を示したフローチャート。
【図１】
0003604378.tif 000002
【図２】
0003604378.tif 000003
【図３】
0003604378.tif 000004
【図４】
0003604378.tif 000005
【図５】
0003604378.tif 000006
【図６】
0003604378.tif 000007
【図７】
0003604378.tif 000008
【図８】
0003604378.tif 000009
【図９】
0003604378.tif 000010
【図１０】
0003604378.tif 000011
【図１１】
0003604378.tif 000012
【図１２】
0003604378.tif 000013